(57)【特許請求の範囲】
【請求項１】
第１ヒータと第２ヒータからなる暖房ヒータと、水を加熱しスチームを発生させるスチームヒータと、前記暖房ヒータ及びスチームヒータの発熱量を切り替えるモード切替手段と、前記モード切替手段による切替指示により交流電源を前記第１ヒータと第２ヒータを単独あるいは両方に同時に印加及び該第１、第２ヒータの通電状態に合わせて前記スチームヒータの発熱状態を切り替える発熱量制御手段とを備え、前記発熱量制御手段は、モード切替手段により交流電源を前記第１ヒータと第２ヒータに同時に、且つ最大の消費電力となるように印加した時に前記スチームヒータの発熱量を低減することを特徴とするスチーム発生付ストーブ。
【請求項２】
前記発熱量制御手段は、前記第１ヒータと第２ヒータを同時に、且つ最大の消費電力で暖房運転した所定時間後に、第１ヒータと第２ヒータの同時発熱、あるいは一方のヒータの発熱による消費電力を低減すると共に前記スチームヒータの発熱量を増加させることを特徴とする請求項１に記載のスチーム発生付ストーブ。
【請求項３】
前記モード切替手段は、少なくとも第１ヒータと第２ヒータを同時に、且つ最大の消費電力で所定時間、発熱させる「速熱モード」と、第１ヒータと第２ヒータを同時に、且つ若干低い発熱量となるように発熱させる「強モード」と、前記第１ヒータと第２ヒータのうちの一方のヒータを発熱させる「弱モード」とを選択可能とし、前記発熱量制御手段は、前記モード切替手段が「強モード」と「弱モード」の何れのモードを選択した場合であっても前記スチームヒータの発熱量が最大となるようにしたことを特徴とする請求項１に記載のスチーム発生付ストーブ。
【発明の詳細な説明】
【０００１】
【発明の属する技術分野】
本発明は、例えば加湿機能付の温風機の様なスチーム発生付ストーブに関する。
【０００２】
【従来の技術】
電気ストーブに加湿機能を付加したものは古くから知られており、ストーブのヒータによって部屋内の湿度が低下するのを加湿機能により防止する点で有効である。
【０００３】
この様な先行技術は、例えば実開平５−６６４４０号公報に開示されているが、その具体的な構成は、温風ヒータとファンによる温風機と、加湿ヒータと水タンクによる加湿機とを１つの本体内に組み込んでいる。
【０００４】
そして、此の種の商品は前述の様に部屋内の乾燥を防止する点から、温風ヒータを発熱させた温風機の運転中には加湿ヒータにも通電して同時にスチームを発生させるようにするのが常套手段である。
【０００５】
【発明が解決しようとする課題】
ところが、ここで問題となるのは屋内配線の許容電流の点である。最近は一般家庭での生活レベルが向上し屋内配線の許容電流容量が増加したが、これに伴って家庭内電気器具の消費電力も増加して最大定格電流が１４Ａ程度のものが商品化された。
【０００６】
しかしながら、実際には屋内配線の一回路の最大許容電流が１５Ａや２０Ａのものも多く存在しており、商品の最大許容電流を１４Ａ以上に設定することができない。
【０００７】
それにも拘らず、加湿量を増加させるために加湿ヒータの発熱量を増加させた場合には、温風ヒータの発熱量との和が１４Ａ以上となり、同一回路内の他の電気器具の同時使用ができないばかりか、安全器が作動して好ましくなかった。
【０００８】
本発明は、暖房ヒータの消費電力を最大に設定した時にはスチームヒータの発熱量を低減させて定格許容電流以内に抑えるものである。
【０００９】
【課題を解決するための手段】
本発明は、第１ヒータと第２ヒータからなる暖房ヒータと、水を加熱しスチームを発生させるスチームヒータと、前記暖房ヒータ及びスチームヒータの発熱量を切り替えるモード切替手段と、前記モード切替手段による切替指示により交流電源を前記第１ヒータと第２ヒータを単独あるいは両方に同時に印加及び該第１、第２ヒータの通電状態に合わせて前記スチームヒータの発熱状態を切り替える発熱量制御手段とを備え、前記発熱量制御手段は、モード切替手段により交流電源を前記第１ヒータと第２ヒータに同時に、且つ最大の消費電力となるように印加した時に前記スチームヒータの発熱量を低減するものである。
【００１０】
また、前記発熱量制御手段は、前記第１ヒータと第２ヒータを同時に、且つ最大の消費電力で暖房運転した所定時間後に、第１ヒータと第２ヒータの同時発熱、あるいは一方のヒータの発熱による消費電力を低減すると共に前記スチームヒータの発熱量を増加させるものである。
【００１１】
さらに、前記モード切替手段は、少なくとも第１ヒータと第２ヒータを同時に、且つ最大の消費電力で所定時間、発熱させる「速熱モード」と、第１ヒータと第２ヒータを同時に、且つ若干低い発熱量となるように発熱させる「強モード」と、前記第１ヒータと第２ヒータのうちの一方のヒータを発熱させる「弱モード」とを選択可能とし、前記発熱量制御手段は、前記モード切替手段が「強モード」と「弱モード」の何れのモードを選択した場合であっても前記スチームヒータの発熱量が最大となるようにしたものである。
【００１２】
【発明の実施の形態】
本発明の実施例を図面に基づいて説明する。図１は本発明のスチーム発生付ストーブのフローチャート、図２は同じくストーブ本体の正面から見た縦断面図、図３は同じく操作部の平面図、図４は同じくブロック図である。
【００１３】
（１）は箱形のストーブ本体で、以下に詳細な構造を説明する。（２）は前側の下部に吐風口（３）を設け後部に吸気口（４）を設け、上部には操作部（５）及びスチーム放出口（６）を設けたケース、（７）は一側を前記吸気口（４）に連結し他側を前記吐風口（３）に連結した風胴、（８）は前記風胴（７）内で回転するファン（９）を連結したモータである。
【００１４】
（１０）は前記吐風口（３）の後部の前記風胴（７）内に配設したセラミックタイプの第１ヒータ（上）（１１）及び第２ヒータ（下）（１２）とを上下に積層した暖房ヒータで、風量の増減に応じて発熱量（消費電力）が変動するが、商用周波数が６０ＨＺで風量が「大」の時には合計で約１２２５Ｗの最大発熱量で「速熱」状態となり、風量が「中」の時には合計で１１００Ｗの発熱量で「強」状態となり、風量が「小」の時には第１ヒータ（１１）のみに通電されて６５０Ｗの発熱量で「弱」状態となる。
【００１５】
（１３）は前記風胴（７）の側方に配置固定したスチーム加湿器で、上部を前記スチーム放出口（６）に連結し下部を密閉した熱伝導の良好な金属パイプ（１４）と、この金属パイプの外周壁に巻き付けられた最大消費電力が２５０Ｗのスチームヒータ（１５）とから構成している。
【００１６】
前記操作部（５）を図３に基づいて説明する。（１６）は希望時間後に暖房ヒータ（１０）、スチームヒータ（１５）に通電して運転を開始する「入」タイマーボタン、（１７）は希望時間後に暖房ヒータ（１０）、スチームヒータ（１５）への通電を停止する「切」タイマーボタン、（１８）は前記「入」タイマーボタン（１６）或は「切」タイマーボタン（１７）によって設定された希望時間を表示するタイマー表示器、（１９）はスチームヒータ（１５）による部屋内の湿度（「連続」〜「４０％」）を設定する加湿切替釦、（２０）…は湿度設定ランプ、（２１）は暖房ヒータ（１０）による発熱量を変えるモード切替手段（以下温風切替釦）で、連続して押圧操作することにより前述の「速熱モード」、「強モード」、「弱モード」と詳図していないが室温が設定温度以下の場合は「強モード」となり、設定温度を越えると「弱モード」となる「自動運転モード」と、暖房ヒータ（１０）への通電を停止する「送風モード」の何れかを選択する。（２２）…は温風切替釦で選択されたモードを表示するモードランプである。（２３）は図示していないが、前記金属パイプ（１４）に送水する水タンク内の水量が空量に近い量まで減った時に給水を促す給水ランプである。（２４）は電源のオン／オフ釦である。
【００１７】
次に、図４に示すブロック図について説明する。（２５）は例えば、商用周波数が６０ＨＺの交流電源、（２６）は前記温風切替釦（２１）による切替指示により各ヒータへの通電命令を出力する発熱量制御手段（以下マイコン）で、交流電源（２５）を前記第１ヒータ（１１）と第２ヒータ（１２）を単独あるいは両方に同時に印加し、また第１、第２ヒータの通電状態に合わせて前記スチームヒータ（１５）の発熱状態を切り替える。
【００１８】
この切替状態は後述の図１のフローチャートを用いた動作説明で詳述するが、スチームヒータ（１５）の発熱量は、「速熱モード」では最大消費電力の１／２の１２５Ｗとなり、各ヒータ（１１）、（１２）とモータ（８）の消費電力２０Ｗを合わせて合計１３５０Ｗとなる。「強モード」では最大消費電力の２５０Ｗとなり、各ヒータ（１１）、（１２）とモータ（８）の消費電力２０Ｗと合わせて合計１３５０Ｗ、「弱モード」では最大消費電力の２５０Ｗとなり、上部の第１ヒータ（１１）とモータ（８）の消費電力２０Ｗと合わせて合計９００Ｗ、「送風モード」では最大消費電力の２５０Ｗとなり、各ヒータ（１１）、（１２）がオフでモータ（８）の消費電力２０Ｗと合わせて合計２７０Ｗ、「自動モード」ではモータ（８）のスチームヒータ（１５）は最大消費電力が２５０Ｗ、モータ（８）の消費電力が２０Ｗで固定となるものの、各ヒータ（１１）、（１２）の消費電力は、部屋内の室温が設定温度を越えるか否かによって変化し合計消費電力が変動する。
【００１９】
（２７）は前記マイコン（２６）は電源回路、（２８）は交流電源（２５）の商用周波数を分周して前記マイコン（２６）を駆動するタイムベース検出回路、（２９）は前記オン／オフ釦（２４）の操作を検出する電源スイッチ検出回路、（３０）は前記暖房ヒータの駆動回路（以下第１リレー）、（３１）は前記スチームヒータ（１５）の駆動回路（以下第２リレー）、（３２）はモータ（８）の駆動回路である。（３３）は前記温風切替釦（２１）の操作による信号をマイコン（２６）に入力する操作回路、（３４）は前記湿度設定ランプ（２０）…、モードランプ（２２）…、給水ランプ（２３）を点灯させる表示回路、（３５）はストーブ本体（１）が転倒した場合に各ヒータ（１１）、（１２）とスチームヒータ（１５）への通電を停止する転倒検出回路、（３６）は部屋内の室温検出回路、（３７）は暖房ヒータ（１０）による温風温度の検出回路、（３８）はスチーム温度検出回路、（３９）は前記スチームヒータ（１５）により発生した湿度の検出回路、（４０）、（４１）は前記交流電源（２５）の供給側に接続した温度ヒューズと電流ヒューズ、（４２）は前記オン／オフ釦（２４）の操作によりオン或はオフする電源スイッチである。
【００２０】
つづいて、暖房ヒータ（１０）とスチームヒータ（１５）の接続状態について説明する。先ず第１ヒータ（１１）と第２ヒータ（１２）は、それぞれの一端を接続して電源スイッチ（４２）を介して交流電源（２５）の一極に接続し、それぞれの他端はフリーとしている。
【００２１】
（４３）は前記第１リレー（３０）の第１スイッチで、第１ヒータ（１１）と交流電源（２５）の他極間を接離する。（４４）は前記第１リレー（３０）の第２スイッチで、第２ヒータ（１２）と交流電源（２５）の他極間を接離すると共に離間時には後述するダイオードを短絡してスチームヒータ（１５）の他端を交流電源（２５）の他極に接続してスチームヒータ（１５）を２５０Ｗで発熱させる。
【００２２】
（４５）は前記スチームヒータ（１５）の他端と交流電源（２５）の他極間に接続したダイオードである。
【００２３】
（４６）は前記第２リレー（３１）の第１スイッチで、前記スチームヒータ（１５）への交流電源（２５）の印加／停止を行う。（４７）は前記第２リレー（３１）の第２スイッチで、前記ダイオード（４５）を短絡するものである。（４８）は前記駆動回路（３２）のスイッチで、前記モータ（８）への交流電源（２５）の印加／停止を行う。
【００２４】
次に図１に示すフローチャートに基づいて動作を説明する。今、部屋内の温度が低くて、特に寒い場合には、温風切替釦（２１）を１回操作して操作回路（３３）よりマイコン（２６）に入力する。
【００２５】
すると、マイコン（２６）は第１リレー（３０）を駆動し第１スイッチ（４３）を閉成、第２スイッチ（４４）を第２ヒータ（１２）側に接続する。
【００２６】
また、第２リレー（３１）の第１スイッチ（４６）を閉成し、第２リレー（３１）の第２スイッチ（４７）を開放する。
【００２７】
この結果、「速熱モード」となり、第１ヒータ（１１）と第２ヒータ（１２）は最大発熱量で発熱すると共にスチームヒータ（１５）はダイオード（４５）の半波電流によって１２５Ｗの発熱量となり、モータ（８）の消費電力と合わせて１３５０Ｗとなる。「速熱モード」による運転開始と同時に図示していないがマイコン（２６）内のカウンター（Ｔ）が所定時間（１時間）の計時を開始する。
【００２８】
やがて、１時間の計時が終了すると、マイコン（２６）のプログラムによって自動で「強モード」に移行し、第２スイッチ（４７）を閉成してスチームヒータ（１５）を全発熱量の２５０Ｗとし、各ヒータの合計発熱量を１０８０Ｗまで減少させ、モータ（８）と合わせて１３５０Ｗの消費電力にする。
【００２９】
一方、温風切替釦（２１）により「弱モード」に設定した場合には、第１リレー（３０）の第１スイッチ（４３）のみを閉成し、第２リレー（３１）の第１及び第２スイッチ（４６）、（４７）のそれぞれを閉成する。
【００３０】
この結果、「弱モード」では、第１ヒータ（１１）の消費電力６３０Ｗ、モータ（８）の消費電力２０Ｗ、スチームヒータ（１５）の消費電力２５０Ｗの合計９００Ｗとなる。
【００３１】
また、「送風モード」では、第１ヒータ（１１）と第２ヒータ（１２）の発熱がなく、モータ（８）の消費電力２０Ｗ、スチームヒータ（１５）の消費電力２５０Ｗの合計２７０Ｗとなる。
【００３２】
「自動モード」では、前述の様にモータ（８）の消費電力２０Ｗ、スチームヒータ（１５）の消費電力２５０Ｗに第１ヒータ（１１）と第２ヒータ（１２）の変動する消費電力が加わるが合計消費電力は１３５０Ｗを越えない。
【００３３】
【発明の効果】
以上の様に本発明は、発熱量制御手段は、モード切替手段により交流電源を第１ヒータと第２ヒータに同時に、且つ最大の消費電力となるように印加した時にスチームヒータの発熱量を低減するものであるから、自動的に合計の消費電力が定格許容電流（電力）の範囲内に設定することができブレーカーが遮断することなく安全に使用できると共に、屋内配線のケーブルや接続コードに大電流がかからず熱変形等を生ずることがない。
【００３４】
また、発熱量制御手段は、第１ヒータと第２ヒータを同時に、且つ最大の消費電力で運転したあとの所定時間後に、第１ヒータと第２ヒータの合計発熱量、或は一方のヒータのみの発熱により消費電力を低減し、スチームヒータの発熱量を増加させるものであるから、合計消費電力を最大にして使用した所定時間後は消費電力を下げると共に、同時にスチームの発生量を増加させ、定格許容電流の範囲内で暖房と大量のスチーム発生を行うことができる。
【００３５】
さらに、モード切替手段は、暖房状態を少なくとも「速熱モード」と「強モード」と「弱モード」を選択するものであって、「強モード」と「弱モード」の何れのモードを選択した場合であってもスチームヒータの発熱量が最大となるものであるから、暖房運転状態であっても暖房ヒータの消費電力が定格許容電流に余裕のある場合にはスチームの発生量を多くすることができる。
【００３６】
このことは、特にエアコンや石油ファンヒータ等の他の暖房機を併用している場合には部屋内が極端に乾燥する場合があり、この様な時に有効となる。
【図面の簡単な説明】
【図１】本発明のスチーム発生付ストーブのフローチャートである。
【図２】同じくストーブ本体の正面縦断面図である。
【図３】同じく操作部の平面図である。
【図４】同じくブロック図である。
【符号の説明】
１  ストーブ本体
１０  暖房ヒータ
１１  第１ヒータ（上ヒータ）
１２  第２ヒータ（下ヒータ）
１３  スチーム加湿器
１５  スチームヒータ
２１  モード切替手段
２６  発熱量制御手段（マイコン）
Ｔ  カウンター
【図１】
0003561656.tif 000002
【図２】
0003561656.tif 000003
【図３】
0003561656.tif 000004
【図４】
0003561656.tif 000005